(57)【要約】【課題】カード収納蓋の小型化。【解決手段】カード収納蓋の開閉検出の操作部にカードのアクセスを知らせるＬＥＤの光を導光させることにより、カード蓋部の小型化を図る。【選択図】図３
2019179941.tif 000002
【特許請求の範囲】
【請求項１】
着脱可能な記録媒体を挿入できる挿入部と、
挿入部を覆う閉位置と露出させる開位置との間で開閉可能な蓋部材と、
記録媒体へのアクセス状態を知らせるための発光手段と、
発光手段の光を視認することができる蓋に設けられた発光窓と、
蓋の開閉を検出する検出手段と、
蓋に設けられた検出手段を操作する操作部と、
を備え、
操作部を導光して発光窓を光らせることを特徴とする撮像装置。
【請求項２】
発光手段と検出手段が表裏で重なるように基板に実装されることを特徴とする請求項１に記載の撮像装置。
【発明の詳細な説明】
【技術分野】
【０００１】
本発明は、データを記録する記録媒体の収納蓋をもつ撮像装置に関する。
【背景技術】
【０００２】
従来よりビデオカメラは、映像を電気信号に変換し、記録媒体へ記録することができる。記録媒体はビデオカメラに対して着脱自在で設けられているものもある。筺体の一部が蓋で覆われており、蓋を開くとスロットが露出して、記録媒体であるカードが着脱できる構成のものがある。
【０００３】
また、カードへデータを書き込み中に、カードが取り出されるとデータが破壊されることがある。そのため、書き込み中には記録媒体の取り出しを防ぐ必要があった。そこで、蓋の開閉を検知して蓋が開いている際には書き込みを停止するなどの対策がとられているものがある（特許文献１）。
【０００４】
しかしながら、蓋の開閉を検知して、カードを取り出すまでの時間では書き込み中止処理が間に合わないため、データ破壊を生じる可能性があった。そこで、書き込み中はＬＥＤなどを点灯して警告する手法など（特許文献２）と併用して設置されているものがある。
【先行技術文献】
【特許文献】
【０００５】
【特許文献１】特開２０１５−１７２９２２号公報
【特許文献２】特開２００９−１８２９１０号公報
【発明の概要】
【発明が解決しようとする課題】
【０００６】
しかしながら、蓋の開閉検知及びＬＥＤの警告手法を併用すると、それぞれに部品が必要となるため、カード蓋近傍が大型化する問題点があった。
【課題を解決するための手段】
【０００７】
上記の課題を解決するために、本発明に係る撮像装置は、
着脱可能な記録媒体を挿入できる挿入部と、挿入部を覆う閉位置と露出させる開位置との間で開閉可能な蓋部材と、記録媒体へのアクセス状態を知らせるための発光手段と、発光手段の光を視認することができる蓋に設けられた発光窓と、蓋の開閉を検出する検出手段と、蓋に設けられた検出手段を操作する操作部と、を備えた電子機器において、操作部を導光して発光窓を光らせることができることを特徴としている。
【０００８】
また、本発明の他の特徴とするところは、発光手段と検出手段が表裏で重なるように基板に実装されることを特徴としている。
【発明の効果】
【０００９】
本発明に係る撮像装置によれば、蓋の開閉検出部を導光部と兼ねることにより小型化を実現することができる。
【図面の簡単な説明】
【００１０】
【図１】撮像装置１００の斜視図
【図２】カード蓋１０３周りの斜視図
【図３】カード蓋１０３周りの部品構成図
【図４】カード蓋１０３周りの部品構成図
【発明を実施するための形態】
【００１１】
以下、本発明を実施するための形態について、図面を参照しながら説明する。
【００１２】
図１は本発明の実施形態にかかわる撮像装置１００の斜視図である。
【００１３】
なお、本実施形態においては、被写体に向かう方向で上下左右とし、被写体側を正面、正面と対向する面を背面と定義し説明を行う。
【００１４】
図１に示すように、撮像装置１００は主に、正面にレンズ１０１、左側面には操作部１０２とカード蓋１０３、アクセスＬＥＤ窓１０４、背面にはビューファインダー１０５と操作部１０６、右側面にはグリップ部１０７で構成されている。
【００１５】
撮像装置１００はレンズ１０１より入った光が、図示しない本体部内部の撮像素子で受光したものを電気信号に変換し映像を撮影することができる。電気信号に変換した映像は本体よりアクセスできる記録媒体へ書き込むことにより、映像を保管する。操作部（１０２、１０６）では撮影時の機能切替や電源ＯＮ／ＯＦＦなどの撮像装置１００への指示を行う。カード蓋１０３は記録媒体となるカードを挿入する挿入口を覆う蓋である。アクセスＬＥＤ窓１０４はカードへ書き込みを行っている際に発光して警告を出す。ビューファインダー１０５は撮影・再生映像を見ることができる表示部で、グリップ部１０７は右手で把持することで本体を安定して保持する把持部である。
【００１６】
次に、カード蓋１０３の構成を説明するために図２を用いて説明する。
【００１７】
図２はカード蓋周りの概略斜視図である。図２（ａ）はカード蓋１０３が閉状態、図２（ｂ）はカード蓋１０３が開状態での斜視図である。
【００１８】
カード蓋１０３は端部に設けられた軸を中心に回転して開閉する構成である。カード蓋１０３は非導光部材の蓋である。カード蓋１０３内に設けられているアクセスＬＥＤ窓１０４は導光部材の窓であり、後述する内部に設けられた発光体の光を導光して窓外観部を発光させる。図２（ｂ）ではアクセスＬＥＤ窓１０４はカード蓋１０３と一体に固定されており、カード蓋の開閉に合わせて一緒に回動する。アクセスＬＥＤ窓１０４はカード蓋１０３を貫通しており、蓋を開けたカード蓋１０３内部にも露出する。カード蓋１０３の開状態では、カード１０８が露出するため、カード１０８の挿抜が可能となる。
【００１９】
次に、カード蓋検出部の構成を説明するために図３、４を用いて説明する。図３、４では検出部をわかり易く説明するため外装筺体部品を省略し、回転軸１０９近辺に設けた検出部、発光部およびカード蓋１０３の関係を図示した。
【００２０】
図３（ａ）は蓋が閉状態で蓋の回転軸方向から見た図、図３（ｂ）は蓋が閉状態で回転軸に直交方向から見た図である。図４（ａ）は蓋が開状態で蓋の回転軸方向から見た図、図４（ｂ）は蓋が開状態で回転軸に直交方向から見た図である。
【００２１】
図３、４に示す通り、検出部には電流スイッチ回路が内蔵された検出スイッチ１１０が配置されている。検出スイッチ１１０はスイッチ本体部１１０−１とスイッチ操作部１１０−２で構成されている。
【００２２】
スイッチ本体部１１０−１は基板１１１に実装されて保持されていて、基板を介して信号を伝達する。
【００２３】
スイッチ操作部１１０−２はスイッチ本体部１１０−１に対して可動して出し入れする構成で、スイッチ操作部１１０−２を押して動かすことでスイッチがＯＮして電流を生じ信号を伝達する。スイッチの信号が図示しない本体内部の処理部にて演算処理されて、カード蓋の状態に応じて書き込み可否の指示を出す。
【００２４】
スイッチ操作部１１０−２は非操作時にはばねで突出方向に付勢しており、矢印Ａ方向に押されて操作されることでスイッチがＯＮする。図３のように蓋が閉じた状態では、アクセスＬＥＤ窓１０４がスイッチ操作部１１０−２を矢印Ａ方向に押している状態である。これにより、カード蓋１０３が閉状態でスイッチが閉状態を検出する。図３の軸を中心に矢印Ｂ方向に回動方向に動かしたものが、図４の開状態である。開状態ではスイッチ操作部１１０−２からアクセスＬＥＤ窓１０４が離れて検出スイッチ１１０が非操作状態となる。これにより、カード蓋１０３が開状態であることを検出する。
【００２５】
また、検出スイッチ１１０の裏側に発光体であるＬＥＤ１１２が実装されている。ＬＥＤ１１２は電圧を印加すると、矢印Ｃ方向に発光する。図３の状態でＬＥＤ１１２が発光すると矢印Ｄの方向に光が導光し、アクセスＬＥＤ窓１０４の窓外観部１０４−１が光る。カードへの書き込み時などに不用意にカード蓋を開けないように警告灯として発光させることができる。
【００２６】
このように、アクセスＬＥＤ窓１０４の一部で検出スイッチ１１０の操作を行い、検出スイッチ１１０の操作部でＬＥＤ１１２の導光をさせることによって、検出部及びＬＥＤ窓をそれぞれ別のスペースに設ける必要がなく１箇所に集約できることで、蓋の小型化を実現できる。
【符号の説明】
【００２７】
１００  撮像装置、１０１  レンズ、１０２  操作部、１０３  カード蓋、
１０４  アクセスＬＥＤ窓、１０５  ビューファインダー、１０６  操作部、
１０７  グリップ部、１０８  カード、１０９  回転軸、１１０  検出スイッチ、
１１０−１  スイッチ本体部、１１０−２  スイッチ操作部、１１１  基板、
１１２  ＬＥＤ、１０４−１  窓外観部
【図１】
2019179941.tif 000003
【図２】
2019179941.tif 000004
【図３】
2019179941.tif 000005
【図４】
2019179941.tif 000006